(57)【要約】【課題】据置型のオーディオ機器のライン出力レベル（２Ｖｒｍｓ）と、ポータブルオーディオ機器のライン出力レベル（約０．７７５〜約１Ｖｒｍｓ）の双方に対応して、音割れが無くまた適切なレベルで簡易に録音ができるようにする。【解決手段】  約０．７７５〜約１Ｖｒｍｓのライン出力レベルに対応する第１のモードと、２Ｖｒｍｓのライン出力レベルに対応する第２のモードとの２つのライン入力モードをユーザーが選択できるようにする。そして第２のモードとされたときには、ライン入力系の回路あるいはＡＧＣを構成する可変ゲインアンプなどででオーディオ信号ゲイン（レベル）を下げる。或いはＡＧＣのリミットレベルを下げて最大入力レベルとのクリアランスを保つ。或いはＡＧＣ処理のアタックタイムを短くして急峻なアタックでもひずみにくくする。【選択図】  図１１
2005327336.tif 000002
【特許請求の範囲】
【請求項１】
外部機器からのオーディオ信号が入力されるライン入力手段と、
ユーザー操作として、ライン入力モードを第１のモードと第２のモードで選択する操作を行うための選択操作手段と、
上記選択操作手段により上記第２のモードが選択されている際は、上記第１のモードが選択されているときよりも、上記ライン入力手段により入力されたオーディオ信号のゲインを下げるゲイン切換手段と、
上記オーディオ信号の信号レベルがリミットレベルを越えることに応じて可変ゲインアンプのゲインを低下させることで、オーディオ信号の過大なレベルを抑圧するオートゲインコントロール手段と、
を備えたことを特徴とする入力信号処理装置。
【請求項２】
外部機器からのオーディオ信号が入力されるライン入力手段と、
ユーザー操作として、ライン入力モードを第１のモードと第２のモードで選択する操作を行うための選択操作手段と、
上記オーディオ信号の信号レベルがリミットレベルを越えることに応じて可変ゲインアンプのゲインを低下させることで、オーディオ信号の過大なレベルを抑圧するオートゲインコントロール手段と、
上記選択操作手段により上記第２のモードが選択されている際は、上記第１のモードが選択されているときよりも、上記オートゲインコントロール手段のリミットレベルを低下させるリミットレベル切換手段と、
を備えたことを特徴とする入力信号処理装置。
【請求項３】
外部機器からのオーディオ信号が入力されるライン入力手段と、
ユーザー操作として、ライン入力モードを第１のモードと第２のモードで選択する操作を行うための選択操作手段と、
上記オーディオ信号の信号レベルがリミットレベルを越えることに応じて可変ゲインアンプのゲインを低下させることで、オーディオ信号の過大なレベルを抑圧するオートゲインコントロール手段と、
上記選択操作手段により上記第２のモードが選択されている際は、上記第１のモードが選択されているときよりも、上記オートゲインコントロール手段においてゲイン低下させる際のアタックタイムを短くするアタックタイム切換手段と、
を備えたことを特徴とする入力信号処理装置。
【請求項４】
外部機器からのオーディオ信号が入力されるライン入力手段と、
ユーザー操作として、ライン入力モードを第１のモードと第２のモードで選択する操作を行うための選択操作手段と、
上記選択操作手段により上記第２のモードが選択されている際は、上記第１のモードが選択されているときよりも、上記ライン入力手段により入力されたオーディオ信号のゲインを下げるゲイン切換手段と、
上記オーディオ信号の信号レベルがリミットレベルを越えることに応じて可変ゲインアンプのゲインを低下させることで、オーディオ信号の過大なレベルを抑圧するオートゲインコントロール手段と、
上記オートゲインコントロール手段を介して出力されたオーディオ信号を記録媒体に録音する録音手段と、
を備えたことを特徴とする録音装置。
【請求項５】
外部機器からのオーディオ信号が入力されるライン入力手段と、
ユーザー操作として、ライン入力モードを第１のモードと第２のモードで選択する操作を行うための選択操作手段と、
上記オーディオ信号の信号レベルがリミットレベルを越えることに応じて可変ゲインアンプのゲインを低下させることで、オーディオ信号の過大なレベルを抑圧するオートゲインコントロール手段と、
上記選択操作手段により上記第２のモードが選択されている際は、上記第１のモードが選択されているときよりも、上記オートゲインコントロール手段のリミットレベルを低下させるリミットレベル切換手段と、
上記オートゲインコントロール手段を介して出力されたオーディオ信号を記録媒体に録音する録音手段と、
を備えたことを特徴とする録音装置。
【請求項６】
外部機器からのオーディオ信号が入力されるライン入力手段と、
ユーザー操作として、ライン入力モードを第１のモードと第２のモードで選択する操作を行うための選択操作手段と、
上記オーディオ信号の信号レベルがリミットレベルを越えることに応じて可変ゲインアンプのゲインを低下させることで、オーディオ信号の過大なレベルを抑圧するオートゲインコントロール手段と、
上記選択操作手段により上記第２のモードが選択されている際は、上記第１のモードが選択されているときよりも、上記オートゲインコントロール手段においてゲイン低下させる際のアタックタイムを短くするアタックタイム切換手段と、
上記オートゲインコントロール手段を介して出力されたオーディオ信号を記録媒体に録音する録音手段と、
を備えたことを特徴とする録音装置。
【請求項７】
ライン入力オーディオ信号の録音方法として、
ユーザー操作により選択されるライン入力モードとして、第１のモードと第２のモードの選択状態を判別するモード判別ステップと、
上記モード判別ステップにより上記第２のモードが選択されていると判別された際は、上記第１のモードが選択されているときよりも、オーディオ信号のゲインを下げるようにゲイン切換を行うゲイン切り換えステップと、
上記オーディオ信号の信号レベルがリミットレベルを越えることに応じて可変ゲインアンプのゲインを低下させることで、オーディオ信号の過大なレベルを抑圧するオートゲインコントロールステップと、
上記オートゲインコントロールステップを介して出力されたオーディオ信号を記録媒体に録音する録音ステップと、
を備えたことを特徴とする録音方法。
【請求項８】
ライン入力オーディオ信号の録音方法として、
ユーザー操作により選択されるライン入力モードとして、第１のモードと第２のモードの選択状態を判別するモード判別ステップと、
上記モード判別ステップにより上記第２のモードが選択されていると判別された際は、上記第１のモードが選択されているときよりもオートゲインコントロール処理のリミットレベルが低下されるように設定するリミットレベル切換ステップと、
上記オートゲインコントロール処理として、上記オーディオ信号の信号レベルが上記リミットレベルを越えることに応じて可変ゲインアンプのゲインを低下させることで、オーディオ信号の過大なレベルを抑圧するを行うオートゲインコントロールステップと、
上記オートゲインコントロールステップを介して出力されたオーディオ信号を記録媒体に録音する録音ステップと、
を備えたことを特徴とする録音方法。
【請求項９】
ライン入力オーディオ信号の録音方法として、
ユーザー操作により選択されるライン入力モードとして、第１のモードと第２のモードの選択状態を判別するモード判別ステップと、
上記モード判別ステップにより上記第２のモードが選択されていると判別された際は、上記第１のモードが選択されているときよりも、オートゲインコントロール処理でゲイン低下させる際のアタックタイムを短くするように設定するアタックタイム切換ステップと、
上記オートゲインコントロール処理として、上記オーディオ信号の信号レベルがリミットレベルを越えることに応じて可変ゲインアンプのゲインを低下させることで、オーディオ信号の過大なレベルを抑圧するオートゲインコントロールステップと、
上記オートゲインコントロールステップを介して出力されたオーディオ信号を記録媒体に録音する録音ステップと、
を備えたことを特徴とする録音方法。
【発明の詳細な説明】
【技術分野】
【０００１】
本発明は、ライン入力としてのオーディオ信号に対する入力信号処理装置、及び録音装置、録音方法に関する。
【背景技術】
【０００２】
【特許文献１】特開平９−９３０６３号公報
【０００３】
光ディスク（光磁気ディスク）メディアやテープメディアなどに対して、ライン入力された音声信号（オーディオ信号）を録音する録音装置が各種普及している。例えば光磁気ディスクであるＭＤ（Mini Disc）を記録メディアとするＭＤレコーダは、据置型や携帯型の機器として各種普及しているが、これらＭＤレコーダではライン入力端子が備えられ、外部機器とライン接続されることで、外部機器から供給されたオーディオ信号をＭＤに録音できるようにされている。
【０００４】
また入力されたオーディオ信号の録音を考えた場合、その入力オーディオ信号のレベルは大きく変動することがあり、過大レベルの入力により録音音声に歪みが生ずることがある。例えば入力オーディオ信号をデジタル化して処理する機器では、Ａ／Ｄ変換器の変換レンジ上限（フルビット値）を越える入力があると、それは全てフルビット値でクリップされて出力されるため、オーディオ信号として歪みが生ずる。
このため一般的に録音装置では、ライン入力やマイクロホン入力に対する回路系にＡＧＣ（オートゲインコントロール）回路が搭載されている。ＡＧＣ回路は、既によく知られているように、入力レベルに応じて可変ゲインアンプのゲイン制御を行い、これによって過大なレベルの入力があった場合に、そのレベルを抑圧することでオーディオ信号の歪みを防ぐものである。ＡＧＣ回路に関する技術は非常に多数知られているが、例えば上記特許文献１にも開示されている。
【０００５】
また、同じく過大な入力レベルを防止するために、入力レベルをユーザーがマニュアル調整できるように入力レベル調整ボリュームを設けたものも知られている。例えばライン入力やマイクロホン入力としてのオーディオ信号に対するアッテネートボリュームを設け、そのボリュームレベルをユーザーが適切なレベルに調整することで、過大な入力が発生することを防止する。
【発明の開示】
【発明が解決しようとする課題】
【０００６】
ところでライン入力に関して言えば、そのオーディオ信号レベルは、ソース側の機器のライン出力レベルによるものであるため、マイクロホン入力に比べると突発的なレベル変動は少ないと言える。
しかしながら、現在普及しているオーディオ機器のライン出力には、その実効電圧として大きく分けて２種類がある。例えば据置型のオーディオ機器の場合、ライン出力の最大実効値は２Ｖｒｍｓとされていることが多く、一方で、ポータブルオーディオ機器などの低電圧出力機器では最大実効値が約０．７７５〜約１Ｖｒｍｓであることが多い。
【０００７】
これに対してポータブル録音装置でのライン入力録音時の自動ゲイン調整（ＡＧＣ）は、ポータブル機などの低電圧出力機器（約０．７７５〜約１Ｖｒｍｓ）に最適化されている。そのため据置型機器やハイエンドのポータブル機器に多い２Ｖｒｍｓ出力のライン出力と接続して録音した場合、入力オーディオ信号のゲインが高すぎてＡ／Ｄ変換器の最大入力レベルまでの余裕が少なく、急峻なアタックなどでＡＧＣが間に合わず音が割れやすい傾向にある。
【０００８】
ここで、録音装置側で据置型の機器からのライン入力を考慮して、例えばライン入力オーディオ信号に対する減衰処理を施したり、ＡＧＣ特性を最適化すれば、音が割れるということは改善できるが、するとその場合、ポータブルオーディオ機器からのライン入力オーディオ信号の場合に、必要以上にレベルが抑え込まれ、そのダイナミックレンジを無駄にしてしまい、Ａ／Ｄ変換器の変換レンジを有効に使えない。
また、ライン入力レベルをユーザーが手動で可変できるようにしてもよいが、マニュアルでの入力ボリューム調整は、最適な調整がユーザーにとっては比較的難しく且つ面倒なものである。
【課題を解決するための手段】
【０００９】
そこで本発明は、据置型のオーディオ機器に多いライン出力レベル（２Ｖｒｍｓ）と、ポータブルオーディオ機器に多いライン出力レベル（約０．７７５〜約１Ｖｒｍｓ）の双方に対応して、音割れが無くまた適切なレベルで録音ができ、且つユーザーがさほど困難とはならないようにすることを目的とする。
【００１０】
本発明の入力信号処理装置は、外部機器からのオーディオ信号が入力されるライン入力手段と、ユーザー操作として、ライン入力モードを第１のモードと第２のモードで選択する操作を行うための選択操作手段と、上記選択操作手段により上記第２のモードが選択されている際は、上記第１のモードが選択されているときよりも、上記ライン入力手段により入力されたオーディオ信号のゲインを下げるゲイン切換手段と、上記オーディオ信号の信号レベルがリミットレベルを越えることに応じて可変ゲインアンプのゲインを低下させることで、オーディオ信号の過大なレベルを抑圧するオートゲインコントロール手段と、を備える。
【００１１】
また本発明の入力信号処理装置は、上記同様のライン入力手段、選択操作手段、オートゲインコントロール手段を備えると共に、上記選択操作手段により上記第２のモードが選択されている際は、上記第１のモードが選択されているときよりも、上記オートゲインコントロール手段のリミットレベルを低下させるリミットレベル切換手段を備える。
【００１２】
また本発明の入力信号処理装置は、上記同様のライン入力手段、選択操作手段、オートゲインコントロール手段を備えると共に、上記選択操作手段により上記第２のモードが選択されている際は、上記第１のモードが選択されているときよりも、上記オートゲインコントロール手段においてゲイン低下させる際のアタックタイムを短くするアタックタイム切換手段を備える。
【００１３】
本発明の録音装置は、これらの入力信号処理装置の構成に加えて、上記オートゲインコントロール手段を介して出力されたオーディオ信号を記録媒体に録音する録音手段を備えるものである。
【００１４】
本発明の録音方法は、ライン入力オーディオ信号の録音方法として、ユーザー操作により選択されるライン入力モードとして、第１のモードと第２のモードの選択状態を判別するモード判別ステップと、上記モード判別ステップにより上記第２のモードが選択されていると判別された際は、上記第１のモードが選択されているときよりも、オーディオ信号のゲインを下げるようにゲイン切換を行うゲイン切り換えステップと、上記オーディオ信号の信号レベルがリミットレベルを越えることに応じて可変ゲインアンプのゲインを低下させることで、オーディオ信号の過大なレベルを抑圧するオートゲインコントロールステップと、上記オートゲインコントロールステップを介して出力されたオーディオ信号を記録媒体に録音する録音ステップとを備える。
【００１５】
また本発明の録音方法は、同じくモード判別ステップと、オートゲインコントロールステップと、録音ステップとを備えると共に、上記モード判別ステップにより上記第２のモードが選択されていると判別された際は、上記第１のモードが選択されているときよりも上記オートゲインコントロールステップにおけるオートゲインコントロール処理のリミットレベルが低下されるように設定するリミットレベル切換ステップを備える。
【００１６】
また本発明の録音方法は、同じくモード判別ステップと、オートゲインコントロールステップと、録音ステップとを備えると共に、上記モード判別ステップにより上記第２のモードが選択されていると判別された際は、上記第１のモードが選択されているときよりも、上記オートゲインコントロールステップにおけるオートゲインコントロール処理でゲイン低下させる際のアタックタイムを短くするように設定するアタックタイム切換ステップを備える。
【００１７】
即ち本発明は、ライン出力レベル（約０．７７５〜約１Ｖｒｍｓ）に対応する第１のモードと、ライン出力レベル（約２Ｖｒｍｓ）に対応する第２のモードとの２つのライン入力モードを備えるようにする。
ＡＧＣ回路系（オートゲインコントロール手段）を、例えば第１のモードであるライン出力レベル（約０．７７５〜約１Ｖｒｍｓ）に最適化されているとすると、第２のモードとされたときには、次の（１）〜（３）の３つの手法、もしくはそれを複合的に用いることで、２Ｖｒｍｓのライン出力レベルに対応する。
（１）ライン入力系の回路あるいはＡＧＣを構成する可変ゲインアンプ（ＰＧＡ：プログラマブルゲインアンプ）などででゲイン（レベル）を下げる。
（２）ＡＧＣのリミットレベル（ＡＧＣレベル：ＡＧＣがゲイン低下処理を開始するレベル）を下げて最大入力レベルとのクリアランスを保つ。
（３）ＡＧＣ処理のアタックタイムを短くして急峻なアタックでもひずみにくくする。
【発明の効果】
【００１８】
本発明によれば、ライン出力レベル（約０．７７５〜約１Ｖｒｍｓ）に対応する第１のモードと、ライン出力レベル（約２Ｖｒｍｓ）に対応する第２のモードとの２つのライン入力モードを備えるようにし、これをユーザーが選択できる。
そして第２のモードが選択されている際は、第１のモードが選択されているときよりも、上記ライン入力手段により入力されたオーディオ信号のゲインを下げるゲイン切換手段を備える。
又は、第２のモードが選択されている際は、第１のモードが選択されているときよりも、オートゲインコントロール手段のリミットレベルを低下させるリミットレベル切換手段を備える。
又は、第２のモードが選択されている際は、第１のモードが選択されているときよりも、オートゲインコントロール手段においてゲイン低下させる際のアタックタイムを短くするアタックタイム切換手段を備える。
これにより、例えば据置型のオーディオ機器がライン接続されて最大実効値２Ｖｒｍｓのオーディオ信号の録音を行う場合でも、歪みやすいことが解消され、適切なレベルでの録音が可能となる。もちろん第１のモードの場合は、最大実効値約０．７７５〜約１Ｖｒｍｓのオーディオ信号の録音において適切なレベルでの録音が可能である。
そしてこのようなライン入力モードは、ユーザーがいずれかを選択するのみでよく、ユーザーの操作は入力ボリューム調整に比べて遙かに簡易である。
即ち本発明によれば、ユーザーがライン入力モードを選択するのみで、入力信号処理、ＡＧＣ処理が最適化されることになり、接続されたオーディオ機器に関わらず適切な録音が可能となる。
【発明を実施するための最良の形態】
【００１９】
以下、本発明の実施の形態を説明する。実施の形態の記録再生装置は、ライン入力されたオーディオ信号（音楽等）を記録媒体に記録できる録音装置としての機能を持つものであり、本発明の録音装置に該当する。また本発明の録音方法を実行する。さらにライン入力系として本発明の入力信号処理装置としての構成を備えるものである。
説明は次の順序で行う。
１．記録再生装置の構成及びディスク
２．ゲイン切換を行うライン入力系
３．リミットレベル切換を行うライン入力系
４．アタックタイム切換を行うライン入力系
５．複合的な切換を行うライン入力系
６．変形例
【００２０】
１．記録再生装置の構成及びディスク
図１は、実施の形態としての記録再生装置１の内部構成例について示したブロック図である。
この実施の形態としての記録再生装置１は、一例として、磁界変調方式でデータ記録が行われる光磁気ディスクであるミニディスク（ＭＤ）方式のディスクに対する記録再生装置とする。但し、既に普及している音楽用途のミニディスクのみではなく、より高密度記録を可能とし、コンピュータユースの各種データのストレージに利用できる高密度ディスク（次世代ディスクとも言う）についても対応可能な記録再生装置である。
【００２１】
また、本例の記録再生装置１としては、例えばパーソナルコンピュータ（或いはネットワーク）５０等の外部の機器との間でデータ通信可能な機器とされる。
例えば記録再生装置１は、パーソナルコンピュータ５０とＵＳＢケーブル等の伝送路５１で接続されることで、パーソナルコンピュータ５０に対する外部ストレージ機器として機能できる。また、パーソナルコンピュータ５０を介したり、或いは直接ネットワークと接続できる機能を備えるなどしてネットワーク接続されることで、音楽や各種データをダウンロードし、記録再生装置１においてストレージ部２に装填されたディスクに保存できるものともなる。
【００２２】
一方、この記録再生装置１はパーソナルコンピュータ５０等に接続しなくとも、例えばオーディオ機器として機能する。例えば他のオーディオ機器等から入力された音楽／音声等のオーディオデータ、或いは接続されたマイクロホン（もしくは内蔵マイクロホン）によって入力された音楽／音声等のオーディオデータをディスクに記録したり、ディスクに記録されたオーディオデータを再生出力することができる。
即ち本例の記録再生装置１は、パーソナルコンピュータ５０等に接続されることで汎用的なデータストレージ機器として利用でき、かつ単体ではオーディオ記録再生機器としても利用できる装置である。
【００２３】
ここで、本例の記録再生装置１の構成の説明に先立って、記録再生装置１が対応する、光磁気記録による次世代ディスクの概要について説明しておく。
先ず、このような次世代ディスクとしては、現行のパーソナルコンピュータとの親和性が図れるように、ファイル管理システムとしてＦＡＴ（File Allocation Table）システムを使って、オーディオデータのようなコンテンツデータを記録再生するものである。
また、現行のＭＤシステムに対して、エラー訂正方式や変調方式等の改善を行うことで、データの記録容量の増大を図るとともにデータの信頼性を高めているものである。
【００２４】
次世代ディスクの記録再生のフォーマットとしては、現在２種類の仕様が開発されている。説明上、これらを第１の次世代ＭＤ、第２の次世代ＭＤと呼ぶこととする。
第１の次世代ＭＤは、現行のＭＤシステムで用いられているディスクと全く同様のディスクを用いるようにした仕様であり、第２の次世代ＭＤは、現行のＭＤシステムで用いられているディスクと外形は同様であるが、磁気超解像（ＭＳＲ）技術を使うことにより、線記録方向の記録密度を上げて、記録容量をより増大した仕様である。
【００２５】
現行のＭＤシステム（オーディオ用ＭＤやＭＤ−ＤＡＴＡ）では、カートリッジに収納された直径６４ｍｍの光磁気ディスクが記録媒体として用いられている。ディスクの厚みは１．２ｍｍであり、その中央に１１ｍｍの径のセンターホールが設けられている。カートリッジの形状は、長さ６８ｍｍ、幅７２ｍｍ、厚さ５ｍｍである。
第１，第２の次世代ＭＤの仕様でも、これらディスクの形状やカートリッジの形状は、全て同じである。リードイン領域の開始位置についても、第１，第２の次世代ＭＤのディスクも、半径位置２９ｍｍから始まり、現行のＭＤシステムで使用されているディスクと同様である。
つまり、従来のＭＤシステムとの外形上での互換性が確保されているものである。
【００２６】
トラックピッチについては、第２の次世代ＭＤでは、１．２μｍから１．３μｍ（例えば１．２５μｍ）とすることが検討されている。これに対して、現行のＭＤシステムのディスクを流用する第１の次世代ＭＤでは、トラックピッチは１．６μｍとされている。ビット長は、第１の次世代ＭＤが０．４４μｍ／ビットとされ、第２の次世代ＭＤが０．１６μｍ／ビットとされる。冗長度は、第１，第２の次世代ＭＤともに、２０．５０％である。
【００２７】
第２の次世代ＭＤ仕様のディスクでは、磁気超解像技術を使うことにより、線密度方向の記録容量を向上するようにしている。磁気超解像技術は、所定の温度になると、切断層が磁気的にニュートラルな状態になり、記録層に転写されていた磁壁が転写されることで、微少なマークがビームスポットの中に見えるようになることを利用したものである。
具体的に、第２の次世代ＭＤ仕様のディスクでは、透明基板上に、少なくとも情報を記録する記録層となる磁性層と、切断層と、情報再生用の磁性層とが積層される。切断層は、交換結合力調整用層となる。所定の温度になると、切断層が磁気的にニュートラルな状態になり、記録層に転写されていた磁壁が再生用の磁性層に転写される。これにより、微少なマークがビームスポットの中に見えるようになる。なお、記録時には、レーザパルス磁界変調技術を使うことで、微少なマークを生成することができる。
【００２８】
また、第２の次世代ＭＤ仕様のディスクでは、デトラックマージン、ランドからのクロストーク、ウォブル信号のクロストーク、フォーカスの漏れを改善するために、グルーブを深くし、グルーブの傾斜を鋭くしている。即ち第２の次世代ＭＤ仕様のディスクでは、グルーブの深さは例えば１６０ｎｍから１８０ｎｍであり、グルーブの傾斜は例えば６０度から７０度であり、グルーブの幅は例えば６００ｎｍから７００ｎｍである。
光学的仕様については、第１の次世代ＭＤの仕様では、レーザ波長λが７８０ｎｍとされ、光学ヘッドの対物レンズの開口率ＮＡが０．４５とされている。第２の次世代ＭＤの仕様も同様に、レーザ波長λが７８０ｎｍとされ、光学ヘッドの開口率ＮＡが０．４５とされている。
また、記録方式としては、第１，第２の次世代ＭＤとも、グルーブ記録方式が採用されている。つまり、グルーブ（ディスクの盤面上の溝）をトラックとして記録再生に用いるようにしている。
【００２９】
さらに、エラー訂正符号化方式としては、現行のＭＤシステムでは、ＡＣＩＲＣ(Advanced Cross Interleave Reed-Solomon Code) による畳み込み符号が用いられていたが、第１，第２の次世代ＭＤの仕様では、ＲＳ−ＬＤＣ（Reed Solomon−Long Distance Code）とＢＩＳ（Burst Indicator Subcode）とを組み合わせたブロック完結型の符号が用いられている。
ブロック完結型のエラー訂正符号を採用することにより、リンキングセクタが不要になる。ＬＤＣとＢＩＳとを組み合わせたエラー訂正方式では、バーストエラーが発生したときに、ＢＩＳによりエラーロケーションが検出できる。このエラーロケーションを使って、ＬＤＣコードにより、イレージャ訂正を行うことができる。
【００３０】
アドレス方式としては、シングルスパイラルによるグルーブを形成したうえで、このグルーブの両側に対してアドレス情報としてのウォブルを形成したウォブルドグルーブ方式が採用されている。このようなアドレス方式は、ＡＤＩＰ（Address in Pregroove）と呼ばれている。
ＡＤＩＰの仕様については、現行のＭＤシステムと同様であるが、現行のＭＤシステムでは、２３５２バイトからなるセクターを記録再生のアクセス単位としているのに対して、第１，第２の次世代ＭＤの仕様では、６４Ｋバイトを記録再生のアクセス単位（レコーディングブロック）としている。
また、現行のＭＤシステムでは、エラー訂正符号としてＡＣＩＲＣと呼ばれる畳み込み符号が用いられているのに対して、第１，第２の次世代ＭＤの仕様では、ＬＤＣとＢＩＳとを組み合わせたブロック完結型の符号が用いられている。
そこで、現行のＭＤシステムのディスクを流用する第１の次世代ＭＤの仕様では、ＡＤＩＰ信号の扱いを、現行のＭＤシステムのときとは異なるようにしている。また、第２の次世代ＭＤでは、第２の次世代ＭＤの仕様により合致するように、ＡＤＩＰ信号の仕様に変更を加えている。
【００３１】
変調方式については、現行のＭＤシステムでは、ＥＦＭ(8 to 14 Modulation)が用いられているのに対して、第１，第２の次世代ＭＤの仕様では、ＲＬＬ（１，７）ＰＰ（ＲＬＬ;Run Length Limited ,ＰＰ;Parity Preserve/Prohibit rmtr(repeated minimum transition runlength))（以下、１−７ｐｐ変調と称する）が採用されている。また、データの検出方式は、第１の次世代ＭＤではパーシャルレスポンスＰＲ（１，２，１）ＭＬを用い、第２の次世代ＭＤではパーシャルレスポンスＰＲ（１，−１）ＭＬを用いたビタビ復号方式とされている。
【００３２】
また、ディスク駆動方式はＣＬＶ（Constant Linear Verocity）で、その線速度は、第１の次世代ＭＤの仕様では、２．７ｍ／秒とされ、第２の次世代ＭＤの仕様では、１．９８ｍ／秒とされる。なお、現行のＭＤシステムの仕様では、６０分ディスクで１．２ｍ／秒、７４分ディスクで１．４ｍ／秒とされている。
【００３３】
現行のＭＤシステムで用いられるディスクをそのまま流用する第１の次世代ＭＤの仕様では、ディスク１枚当たりのデータ総記録容量は約３００Ｍバイト（８０分ディスクを用いた場合）になる。変調方式がＥＦＭ変調から１−７ｐｐ変調とされることで、ウィンドウマージンが０．５から０．６６６となり、この点で、１．３３倍の高密度化が実現できる。
また、エラー訂正方式として、ＡＣＩＲＣ方式からＢＩＳとＬＤＣを組み合わせたものとしたことで、データ効率が上がり、この点で、１．４８倍の高密度化が実現できる。総合的には、全く同様のディスクを使って、現行のＭＤシステムに比べて、約２倍のデータ容量が実現されたことになる。
これに対し磁気超解像を利用した第２の次世代ＭＤの仕様のディスクでは、更に線密度方向の高密度化が図られ、データ総記録容量は、約１Ｇバイトになる。
なお、データレートは第１の次世代ＭＤでは４．４Ｍビット／秒であり、第２の次世代ＭＤでは、９．８Ｍビット／秒である。
【００３４】
図２（ａ）には、第１の次世代ＭＤのディスクの構成が示されている。
第１の次世代ＭＤのディスクは、現行のＭＤシステムのディスクをそのまま流用したものである。すなわち、透明のポリカーボネート基板上に、誘電体膜と、磁性膜と、誘電体膜と、反射膜とを積層して構成される。更に、その上に保護膜が積層される。
第１の次世代ＭＤのディスクでは、この図２（ａ）に示すようにディスクの内周のリードイン領域に、Ｐ−ＴＯＣ（プリマスタードＴＯＣ（Table Of Contents））領域が設けられる。ここは、物理的な構造としてはプリマスタード領域となり、エンボスピットによりコントロール情報等がＰ−ＴＯＣ情報として記録されていることになる。
【００３５】
そして、このようにＰ−ＴＯＣ領域が設けられるリードイン領域の外周は、レコーダブル領域（光磁気記録可能な領域）とされ、記録トラックの案内溝としてグルーブが形成された記録再生可能領域となっている。このレコーダブル領域の内周には、Ｕ−ＴＯＣ（ユーザーＴＯＣ）が設けられる。
この場合のＵ−ＴＯＣは、現行のＭＤシステムでディスクの管理情報を記録するために用いられているＵ−ＴＯＣと同様の構成のものである。確認のために述べておくと、Ｕ−ＴＯＣは、現行のＭＤシステムにおいては、トラック（オーディオトラック／データトラック）の曲順、記録、消去などに応じて書き換えられる管理情報であり、各トラック（トラックを構成するパーツ）について、開始位置、終了位置や、モードを管理するものである。
【００３６】
また、Ｕ−ＴＯＣの外周には、アラートトラックが設けられる。アラートトラックは、このディスクが第１の次世代ＭＤ方式で使用され、現行のＭＤシステムのプレーヤでは再生できないことを示す警告音が記録された警告トラックである。
【００３７】
図２（ｂ）には、第１の次世代ＭＤの仕様のディスクのレコーダブル領域の構成を示している。
この図２（ｂ）に示されるように、レコーダブル領域の先頭（内周側）には、Ｕ−ＴＯＣおよびアラートトラックが設けられる。Ｕ−ＴＯＣおよびアラートトラックが含まれる領域は、現行のＭＤシステムのプレーヤでも再生できるように、ＥＦＭでデータが変調されて記録される。
そして、このＥＦＭ変調でデータが変調されて記録される領域の外周には、次世代ＭＤ１方式の１−７ｐｐ変調によりデータが変調されて記録される領域が設けられる。ＥＦＭ変調によりデータが変調されて記録される領域と、１−７ｐｐ変調によりデータが変調されて記録される領域との間は所定の距離の間だけ離間されており、ガードバンドが設けられている。
このようなガードバンドが設けられるため、現行のＭＤプレーヤに第１の次世代ＭＤの仕様のディスクが装着されて、不具合が発生されることが防止される。
【００３８】
１−７ｐｐ変調によりデータが変調されて記録される領域の先頭（内周側）には、ＤＤＴ(Disc Description Table)領域と、セキュアトラックが設けられる。ＤＤＴ領域には、物理的に欠陥のあるセクタ（レコーディングブロック）に対する交替セクタ処理をするために設けられる。
ＤＤＴ領域には、さらに、ユニークＩＤ（ＵＩＤ）が記録される。ＵＩＤは、記録媒体毎に固有の識別コードであって、例えば所定に発生された乱数に基づく。
セキュアトラックは、コンテンツの保護を図るための情報が格納される。
【００３９】
さらに、１−７ｐｐ変調でデータが変調されて記録される領域には、ＦＡＴ（File Allocation Table）領域が設けられる。このＦＡＴ領域は、ＦＡＴシステムでデータを管理するための領域である。
ＦＡＴシステムは、汎用のパーソナルコンピュータで使用されているＦＡＴシステムに準拠したデータ管理を行うものである。ＦＡＴシステムは、ルートにあるファイルやディレクトリのエントリポイントを示すディレクトリと、ＦＡＴクラスタの連結情報が記述されたＦＡＴテーブルとを用いて、ＦＡＴチェーンによりファイル管理を行うものである。
このような第１の次世代ＭＤの仕様のディスクにおいて、上記したＵ−ＴＯＣ領域には、アラートトラックの開始位置の情報と、１−７ｐｐ変調でデータが変調されて記録される領域の開始位置の情報が記録されるものとなる。
【００４０】
ここで、現行のＭＤシステムのプレーヤに、上記構成による第１の次世代ＭＤのディスクが装着されると、Ｕ−ＴＯＣ領域が読み取られ、Ｕ−ＴＯＣの情報から、アラートトラックの位置が分かり、アラートトラックがアクセスされ、アラートトラックの再生が開始される。アラートトラックには、このディスクが第１の次世代ＭＤ方式で使用され、現行のＭＤシステムのプレーヤでは再生できないことを示す警告音が記録されている。
この警告音から、このディスクが現行のＭＤシステムのプレーヤでは使用できないことが通知される。
なお、この場合の警告音としては、「このプレーヤでは使用できません」というような言語による警告とすることができる。勿論、ブザー音とするようにしても良い。
【００４１】
一方、第１の次世代ＭＤに準拠したプレーヤに対し、第１の次世代ＭＤのディスクが装着された場合、Ｕ−ＴＯＣ領域が読み取られ、Ｕ−ＴＯＣの情報から１−７ｐｐ変調でデータが記録された領域の開始位置が分かり、上記したＤＤＴ、セキュアトラック、ＦＡＴ領域が読み取られる。上述のように１−７ｐｐ変調のデータの領域では、Ｕ−ＴＯＣではなくＦＡＴシステムによるデータ管理が行われる。
【００４２】
続いて図３（ａ）には、第２の次世代ＭＤのディスクの構成を示す。
この場合もディスクは、透明のポリカーボネート基板上に誘電体膜、磁性膜、誘電体膜、反射膜、さらにその上層に保護膜を積層して成る。
そして、第２の次世代ＭＤのディスクの場合では、図示するようにディスクの内周のリードイン領域には、ＡＤＩＰ信号により、コントロール情報が記録されるものとなる。
第２の次世代ＭＤのディスクには、リードイン領域にはエンボスピットによるＰ−ＴＯＣは設けられておらず、その代わりに、ＡＤＩＰ信号によるコントロール情報が用いられる。リードイン領域の外周からレコーダブル領域が開始され、記録トラックの案内溝としてグルーブが形成された記録再生可能領域となっている。このレコーダブル領域には、１−７ｐｐ変調方式によりデータが変調されて記録される。
【００４３】
或るディスクが第１の次世代ＭＤであるか第２の次世代ＭＤであるかは、例えば、リードインの情報から判断できる。
すなわち、リードインにエンボスピットによるＰ−ＴＯＣが検出されれば、現行のＭＤまたは第１の次世代ＭＤのディスクであると判断できる。リードインにＡＤＩＰ信号によるコントロール情報が検出され、エンボスピットによるＰ−ＴＯＣが検出されなければ、第２の次世代ＭＤであると判断できる。
なお、第１、第２の次世代ＭＤの判別は、このような方法に限定されるものではない。オントラックのときとオフトラックのときとのトラッキングエラー信号の位相から判別することも可能である。勿論、カートリッジ等にディスク識別用の検出孔等を設けるようにしても良い。
【００４４】
第２の次世代ＭＤの仕様のディスクのレコーダブル領域の構成としては、図３（ｂ）に示すように、全て１−７ｐｐ変調方式によりデータが変調されて記録される領域が形成される。そして、この１−７ｐｐ変調方式によりデータが変調されて記録される領域の先頭（内周側）には、ＤＤＴ領域と、セキュアトラックが設けられる。
この場合も上記ＤＤＴ領域には、物理的に欠陥のあるセクタ（レコーディングブロック）に対する交替セクタ処理を行うための領域とされる。またＤＤＴ領域には、上述したＵＩＤが記録される。さらにセキュアトラックには、この場合もコンテンツの保護を図るための情報が格納される。
また、１−７ｐｐ変調でデータが変調されて記録される領域には、ＦＡＴ領域が設けられる。ＦＡＴ領域は、ＦＡＴシステムでデータを管理するための領域である。ＦＡＴシステムは、汎用のパーソナルコンピュータで使用されているＦＡＴシステムに準拠したデータ管理を行うものである。
【００４５】
そして、このような第２の次世代ＭＤのディスクにおいては、図からもわかるようにＵ−ＴＯＣ領域は設けられていない。つまり、第２の次世代ＭＤのディスクについては、次世代ＭＤに準拠したプレーヤのみでの使用が想定されているものである。
次世代ＭＤに準拠したプレーヤでは、第２の次世代ＭＤのディスクが装着されると、所定の位置にあるＤＤＴ、セキュアトラック、ＦＡＴ領域が読み取られ、ＦＡＴシステムを使ってデータの管理が行われることになる。
【００４６】
これまでに説明してきたような次世代ディスクに対応するために、図１に示す本例の記録再生装置１では、ストレージ部２として、図４に示す構成のストレージ部を備えて、コンテンツデータの記録・再生を行うものとされる。
図４において、このストレージ部２では、装填されたディスク４０をスピンドルモータ２９によってＣＬＶ方式で回転駆動させる。そして、このディスク４０に対しては記録／再生時に光学ヘッド１９によってレーザ光が照射される。
なお、この場合、ディスク４０としては、現行のＭＤ仕様のディスクと、第１の次世代ＭＤの仕様のディスクと、第２の次世代ＭＤの仕様のディスクとが装着される可能性があることから、これらのディスクにより線速度が異なるものとなる。
このため、スピンドルモータ２９は、装填されたディスク４０の別に応じた異なる線速度に対応して回転されることになる。
【００４７】
光学ヘッド１９は、記録時には記録トラックをキュリー温度まで加熱するための高レベルのレーザ出力を行い、また再生時には磁気カー効果により反射光からデータを検出するための比較的低レベルのレーザ出力を行う。このため、光学ヘッド１９には、図示は省略するがレーザ出力手段としてのレーザダイオード、偏光ビームスプリッタや対物レンズ等からなる光学系、及び反射光を検出するためのディテクタが搭載されている。光学ヘッド１９に備えられる対物レンズとしては、例えば２軸機構によってディスク半径方向及びディスクに接離する方向に変位可能に保持されている。
【００４８】
また、ディスク４０を挟んで光学ヘッド１９と対向する位置には磁気ヘッド１８が配置されている。磁気ヘッド１８は記録データによって変調された磁界をディスク４０に印加する動作を行う。
また、図示しないが光学ヘッド１９全体及び磁気ヘッド１８をディスク半径方向に移動させためスレッドモータ及びスレッド機構が備えられている。
【００４９】
光学ヘッド１９および磁気ヘッド１８は、第２の次世代ＭＤのディスクの場合には、パルス駆動磁界変調を行うことで、微少なマークを形成することができる。現行ＭＤのディスクや、第１の次世代ＭＤのディスクの場合には、磁界変調方式とされる。
【００５０】
また、このストレージ部２では、光学ヘッド１９、磁気ヘッド１８による記録再生ヘッド系、スピンドルモータ２９によるディスク回転駆動系のほかに、記録処理系、再生処理系、サーボ系等が設けられる。
【００５１】
記録処理系では、現行のＭＤシステムのディスクの場合において、オーディオトラックの記録時に、ＡＣＩＲＣでエラー訂正符号化を行い、ＥＦＭで変調してデータを記録する部位と、第１，第２の次世代ＭＤの場合に、ＢＩＳとＬＤＣを組み合わせた方式でエラー訂正符号化を行い、１−７ｐｐ変調により変調して記録する部位が設けられる。
再生処理系では、現行のＭＤシステムのディスクの再生時に、ＥＦＭの復調とＡＣＩＲＣによるエラー訂正処理と、第１，第２の次世代ＭＤシステムのディスクの再生時に、パーシャルレスポンスおよびビタビ復号を用いたデータ検出に基づく１−７ｐｐ復調と、ＢＩＳとＬＤＣによるエラー訂正処理とを行う部位が設けられる。
また、現行のＭＤシステムや第１の次世代ＭＤのＡＤＩＰ信号よるアドレスをデコードする部位と、第２の次世代ＭＤのＡＤＩＰ信号をデコードする部位とが設けられる。
【００５２】
光学ヘッド１９のディスク４０に対するレーザ照射によりその反射光として検出された情報（フォトディテクタによりレーザ反射光を検出して得られる光電流）は、ＲＦアンプ２１に供給される。
ＲＦアンプ２１では入力された検出情報に対して電流−電圧変換、増幅、マトリクス演算等を行い、再生情報としての再生ＲＦ信号、トラッキングエラー信号ＴＥ、フォーカスエラー信号ＦＥ、グルーブ情報（ディスク４０にトラックのウォブリングにより記録されているＡＤＩＰ情報）等を抽出する。
【００５３】
現行のＭＤシステムのディスクを再生するときには、ＲＦアンプで得られた再生ＲＦ信号は、ＥＦＭ復調部２４およびＡＣＩＲＣデコーダ２５で処理される。
すなわち再生ＲＦ信号は、ＥＦＭ復調部２４で２値化されてＥＦＭ信号列とされた後、ＥＦＭ復調され、更にＡＣＩＲＣデコーダ２５で誤り訂正およびデインターリーブ処理される。つまりこの時点でＡＴＲＡＣ圧縮データの状態となる。
そして現行のＭＤシステムのディスクの再生時には、セレクタ２６はＢ接点側が選択されており、その復調されたＡＴＲＡＣ圧縮データがディスク４０からの再生データとして出力される。
【００５４】
一方、第１，第２の次世代ＭＤのディスクを再生するときには、ＲＦアンプ２１で得られた再生ＲＦ信号は、ＲＬＬ（１−７）ＰＰ復調部２２およびＲＳ−ＬＤＣデコーダ２５で処理される。すなわち再生ＲＦ信号は、ＲＬＬ（１−７）ＰＰ復調部２２において、ＰＲ（１，２，１）ＭＬまたはＰＲ（１，−１）ＭＬおよびビタビ復号を用いたデータ検出によりＲＬＬ（１−７）符号列としての再生データを得、このＲＬＬ（１−７）符号列に対してＲＬＬ（１−７）復調処理が行われる。そして更にＲＳ−ＬＤＣデコーダ２３で誤り訂正、及びデインターリーブ処理される。
そして、第１，第２の次世代ＭＤのディスクの再生時には、セレクタ２６はＡ接点側が選択されており、その復調されたデータがディスク４０からの再生データとして出力される。
【００５５】
ＲＦアンプ２１から出力されるトラッキングエラー信号、フォーカスエラー信号はサーボ回路２７に供給され、グルーブ情報はＡＤＩＰ復調部３０に供給される。
ＡＤＩＰ復調部３０は、グルーブ情報に対してバンドパスフィルタにより帯域制限してウォブル成分を抽出した後、ＦＭ復調、バイフェーズ復調を行ってＡＤＩＰ信号を復調する。
そして、このように復調された、ディスク上の絶対アドレス情報であるＡＤＩＰアドレスは、図１に示されるシステムコントローラ８に供給される。システムコントローラ８ではＡＤＩＰアドレスに基づいて所要の制御処理を実行する。
またグルーブ情報はスピンドルサーボ制御のためにサーボ回路２７に供給される。
【００５６】
サーボ回路２７は、例えばグルーブ情報に対して再生クロック（デコード時のＰＬＬ系クロック）との位相誤差を積分して得られる誤差信号に基づき、ＣＬＶサーボ制御のためのスピンドルエラー信号を生成する。
またサーボ回路２７は、スピンドルエラー信号や、ＲＦアンプ２１から供給されたトラッキングエラー信号、フォーカスエラー信号、あるいはシステムコントローラ８からのトラックジャンプ指令、アクセス指令等に基づいて各種サーボ制御信号（トラッキング制御信号、フォーカス制御信号、スレッド制御信号、スピンドル制御信号等）を生成し、モータドライバ２８に対して出力する。すなわち上記サーボエラー信号や指令に対して位相補償処理、ゲイン処理、目標値設定処理等の必要処理を行って各種サーボ制御信号を生成する。
【００５７】
モータドライバ２８では、サーボ回路２７から供給されたサーボ制御信号に基づいて所要のサーボドライブ信号を生成する。ここでのサーボドライブ信号としては、二軸機構を駆動する二軸ドライブ信号（フォーカス方向、トラッキング方向の２種）、スレッド機構を駆動するスレッドモータ駆動信号、スピンドルモータ２９を駆動するスピンドルモータ駆動信号となる。
このようなサーボドライブ信号により、ディスク４０に対するフォーカス制御、トラッキング制御、およびスピンドルモータ２９に対するＣＬＶ制御が行われることになる。
【００５８】
現行のＭＤシステムのディスクでオーディオデータを記録するときには、セレクタ１６がＢ接点に接続され、したがってＡＣＩＲＣエンコーダ１４およびＥＦＭ変調部１５が機能することになる。
この場合、記録データとして図１に示されるキャッシュメモリ３から供給される圧縮データは、ＡＣＩＲＣエンコーダ１４でインターリーブおよびエラー訂正コード付加が行われた後、ＥＦＭ変調部１５でＥＦＭ変調が行われる。
そして、ＥＦＭ変調データがセレクタ１６を介して磁気ヘッドドライバ１７に供給され、磁気ヘッド１８がディスク４０に対してＥＦＭ変調データに基づいた磁界印加を行うことでオーディオトラックの記録が行われる。
【００５９】
これに対し、第１の次世代ＭＤまたは第２の次世代ＭＤにデータを記録する時には、セレクタ１６がＡ接点に接続され、ＲＳ−ＬＤＣエンコーダ１２およびＲＬＬ（１−７）ＰＰ変調部１３が機能することになる。この場合、キャッシュメモリ３からの高密度データは、ＲＳ−ＬＤＣエンコーダ１２でインターリーブおよびＲＳ−ＬＤＣ方式のエラー訂正コード付加が行われた後、ＲＬＬ（１−７）ＰＰ変調部１３でＲＬＬ（１−７）変調が行われる。
そして、ＲＬＬ（１−７）符号列としての記録データがセレクタ１６を介して磁気ヘッドドライバ１７に供給され、磁気ヘッド１８がディスク４０に対して変調データに基づいた磁界印加を行うことでデータトラックの記録が行われる。
【００６０】
レーザドライバ／ＡＰＣ２０は、上記のような再生時および記録時においてレーザダイオードにレーザ発光動作を実行させるが、いわゆるＡＰＣ（Automatic Lazer Power Control）動作も行う。
つまり、図示していないが、光学ヘッド１９内にはレーザパワーモニタ用のディテクタが設けられ、そのモニタ信号がレーザドライバ／ＡＰＣ２０にフィードバックされる。レーザドライバ／ＡＰＣ２０は、モニタ信号として得られる現在のレーザパワーを、設定されているレーザパワーと比較して、その誤差分をレーザ駆動信号に反映させることで、レーザダイオードから出力されるレーザパワーが、設定値で安定するように制御している。
なお、レーザパワーとしては、再生レーザパワー、記録レーザパワーとしての値がシステムコントローラ８によって、レーザドライバ／ＡＰＣ２０内部のレジスタにセットされる。
【００６１】
以上の各動作（アクセス、各種サーボ、データ書込、データ読出の各動作）は、図１に示されるシステムコントローラ８からの指示に基づいて実行されるものとなる。
【００６２】
説明を図１に戻し、本例の記録再生装置１内部の全体構成について説明する。
図１において、キャッシュメモリ３は、上記構成によるストレージ部２によりディスク４０に記録するデータ、或いはストレージ部２によってディスク４０から読み出されたデータについてのバッファリングを行うキャッシュメモリであり、例えばＤ−ＲＡＭより構成される。
キャッシュメモリ３へのデータの書込／読出は、システムコントローラ（ＣＰＵ）８において起動されるタスクによって制御される。
【００６３】
ＵＳＢインタフェース４は、例えばパーソナルコンピュータ５０とＵＳＢケーブルとしての伝送路５１で接続された際の、データ伝送のための処理を行う。
【００６４】
入出力処理部５は、例えば記録再生装置１が単体でオーディオ機器として機能する場合に記録再生データの入出力のための処理を行う。
この入出力処理部５は、例えば入力系として、ライン入力回路／マイクロホン入力回路等のアナログ音声信号入力部、Ａ／Ｄ変換器や、デジタルオーディオデータ入力部を備える。またＡＴＲＡＣ圧縮エンコーダ／デコーダを備える。ＡＴＲＡＣ圧縮エンコーダ／デコーダは、ＡＴＲＡＣ方式によるオーディオデータの圧縮／伸長処理を実行するための回路である。なお、もちろんのこと、本実施の形態の記録再生装置としては、例えばＭＰ３などの他のフォーマットによる圧縮オーディオデータが記録再生可能な構成を採ってもよく、この場合には、これらの圧縮オーディオデータのフォーマットに対応したエンコーダ／デコーダを備えればよい。
また、本実施の形態としては、ビデオデータに関しては特に記録再生可能なフォーマットの限定は行わないが、例えばＭＰＥＧ４などが考えられる。そして、入出力処理部５としては、このようなフォーマットに対応したエンコーダ／デコーダを備えればよいこととなる。
さらに入出力処理部５は、出力系として、デジタルオーディオデータ出力部や、Ｄ／Ａ変換器及びライン出力回路／ヘッドホン出力回路等のアナログ音声信号出力部を備える。
【００６５】
そして、この場合の入出力処理部５内には、暗号処理部（図示せず）が備えられる。暗号処理部においては、例えばディスクに記録すべきＡＶデータについて、所定のアルゴリズムによる暗号化処理を施すようにされる。また、例えばディスクから読み出されたＡＶデータについて暗号化が施されている場合には、必要に応じて暗号解読のための復号処理を実行するようにもされている。
【００６６】
入出力処理部５を介した処理として、ディスクにオーディオデータが記録されるのは、例えば入力ＴINとして入出力処理部５にデジタルオーディオデータ（又はアナログ音声信号）が入力される場合である。
なお、入力ＴINとは、光ケーブルによるデジタルオーディオデータ入力、ライン入力としてのアナログオーディオ信号入力、接続された外部マイクロホンによるアナログオーディオ信号入力等の各種入力をまとめて示したものである。また図示していないが、例えば記録再生装置１内にマイクロホンが内蔵され、その内蔵マイクロホンによって得られるアナログオーディオ信号が入力ＴINとされてもよい。
【００６７】
入力ＴINとしてのリニアＰＣＭデジタルオーディオデータ、或いはアナログ音声信号で入力されＡ／Ｄ変換器で変換されて得られたリニアＰＣＭオーディオデータは、必要に応じてＡＴＲＡＣ圧縮エンコードされてキャッシュメモリ３に蓄積される。そして所定タイミング（ＡＤＩＰクラスタ相当のデータ単位）でキャッシュメモリ３から読み出されてストレージ部２に転送される。ストレージ部２では、転送されてくる圧縮データを所定の変調方式で変調してディスクに記録する。
【００６８】
ディスクからミニディスク方式のオーディオデータが再生される場合は、ストレージ部２は再生データをＡＴＲＡＣ圧縮データ状態に復調してキャッシュメモリ３に転送する。そしてキャッシュメモリ３から読み出されて入出力処理部５に転送される。入出力処理部５は、供給されてくる圧縮オーディオデータに対してＡＴＲＡＣ圧縮デコードを行ってリニアＰＣＭオーディオデータとされ、デジタルオーディオデータ出力部から出力ＴOUTとして出力する。或いはＤ／Ａ変換器によりアナログ音声信号とされ、出力ＴOUTとしてライン出力／ヘッドホン出力を行う。
【００６９】
システムコントローラ８は、記録再生装置１内の全体の制御を行うと共に、接続されたパーソナルコンピュータ５０との間の通信制御を行う。
図示するＲＯＭ８ａには、システムコントローラ８の動作プログラムや固定パラメータ等が記憶される。
またＲＡＭ８ｂは、システムコントローラ８によるワーク領域として用いられ、また各種必要な情報の格納領域とされる。
例えばストレージ部２によってディスク４０から読み出された各種管理情報や特殊情報、例えば上述したＰ−ＴＯＣデータ、Ｕ−ＴＯＣデータ、ＦＡＴデータ等、楽曲トラックの管理情報については、キャッシュメモリ３に取り込まれるが、システムコントローラ８は、それらの管理情報の内、必要な情報をＲＡＭ８ｂに取り込んで処理することが行われる。
キャッシュ管理メモリ９は、例えばＳ−ＲＡＭで構成され、キャッシュメモリ３の状態を管理する情報が格納される。システムコントローラ８はキャッシュ管理メモリ９を参照しながらデータキャッシュ処理の制御を行う。
【００７０】
表示部６は、システムコントローラ８の制御に基づいて、ユーザーに対して提示すべき各種情報の表示を行う。例えば動作状態、モード状態、楽曲等の名称などの文字データ、トラックナンバー、時間情報、その他の情報表示を行う。
また、本例において、例えばディスク４０が次世代ディスクである場合には、このディスク４０に対し楽曲データに対応づけて画像データが記憶されていることが想定されているが、表示部６は、ディスク４０のロード時や再生時等においてシステムコントローラ８の制御に基づき、このように対応づけられた画像データの表示を行うようにすることも考えられる。
【００７１】
操作部７には、ユーザーの操作のための各種操作子として、各種操作ボタンやジョグダイヤルなどが形成される。ユーザーは、この操作部７に対する操作により記録再生装置１に対する所要の動作指示を行う。システムコントローラ８は操作部７によって入力された操作情報に基づいて所定の制御処理を行う。
なお本例においては、後述するライン入力モードの選択操作のための操作子が、操作部７に設けられている。
【００７２】
なお、これまでに説明した記録再生装置１の構成はあくまでも一例であり、例えば入出力処理部５は、オーディオデータだけでなく、ビデオデータに対応する入出力処理系を備えるようにしてもよい。
また、パーソナルコンピュータ５０との接続はＵＳＢでなく、ＩＥＥＥ１３９４等の他の外部インタフェースが用いられても良い。
また、操作部７としては、リモートコントローラ上に先に例示したものと同様の操作子を備えるようにすることも可能である。
【００７３】
以上の構成の記録再生装置１においては、入出力処理部５におけるライン入力に対応するＡＧＣ回路系が設けられている。
以下、ＡＧＣ処理系を有するライン入力回路系についての各例を説明していく。
本実施の形態のライン入力回路系は、ライン入力モードに応じてオーディオ信号のゲイン切換を行う例と、ライン入力モードに応じてＡＧＣ回路のリミッタレベルの切換を行う例と、ライン入力モードに応じてＡＧＣ回路のアタックタイムの切換を行う例があり、またさらに、これらの切換を複合的に行う例が考えられる。
【００７４】
２．ゲイン切換を行うライン入力系
まず、ライン入力モードに応じてオーディオ信号のゲイン切換を行うライン入力回路系を説明する。
図５は記録再生装置１における入出力処理部５、システムコントローラ８、操作部７を示し、特にこれらにおいてライン入力に対応する入力信号処理回路系及びその制御系のみを示したものである。
【００７５】
入力端子６０はライン入力端子であり、この入力端子６０に外部機器のライン出力が接続されることで、外部機器からアナログオーディオ信号が入力される。
入力されたアナログオーディオ信号は、減衰器６１Ａ、６１Ｂに入力されて、それぞれ所定レベル減衰される。そしてスイッチ６６で選択されてＰＧＡ（プログラマブルゲインアンプ）６２に供給される。
ＰＧＡ６２は可変ゲインアンプであり、特には後述するＡＧＣ制御部６５によりアナログオーディオ信号に与えるゲイン値が制御される。
ＰＧＡ６２で或るゲインが与えられたアナログオーディオ信号は、Ａ／Ｄ変換器６３においてデジタルデータ化される。そしてＡ／Ｄ変換器６３から出力されるデジタルオーディオ信号は、エンコーダ６４に供給され、例えば上述したＡＴＲＡＣ方式の圧縮エンコードが施される。エンコーダ６４において所定のエンコード処理が施されたオーディオデータは、図１で示したキャッシュメモリ３に供給される。そしてその後図４の構成のストレージ部２に転送されて記録用のエンコード処理が施されてディスク４０に記録（録音）されることになる。
【００７６】
Ａ／Ｄ変換器６３の出力はＡＧＣ制御部６５にも供給される。ＡＧＣ制御部６５は、Ａ／Ｄ変換器６３から出力されるオーディオデータのレベルを監視し、所定のリミットレベル（ＡＧＣレベル：ＡＧＣ機能を働かせる閾値）を越えたか否かを検出する。
そしてリミットレベルを越えたレベルが検出された場合は、所定のアタックタイムでＰＧＡ６２のゲインを下げるように制御する。またゲインを下げた後は、所定のリカバリタイムでＰＧＡ６２のゲインを回復させていく。
【００７７】
ここでスイッチ６６に対しては、システムコントローラ８より切換制御が行われる。
操作部７には、図示するようにユーザーがライン入力モードを選択する操作子７ａが設けられており、ユーザーはこの操作子７ａを操作することで、ライン入力モードとしてモードＡ、モードＢを選択できる。
モードＡは、ライン出力レベルの実効値約０．７７５〜約１Ｖｒｍｓに対応するモードであり、モードＢは、ライン出力レベルの実効値２Ｖｒｍｓに対応するモードとしている。つまり、ユーザーは、本例の記録再生装置に対して、ライン出力側の機器としてポータブルオーディオ機器を接続した場合はモードＡを、また据置型のオーディオ機器を接続した場合はモードＢを選択すればよい。
【００７８】
システムコントローラ８は、操作子７ａによるユーザーのモード選択状態を判別している。
操作子７ａによりモードＡが選択されたと判別した場合は、システムコントローラ８はスイッチ６６を端子ＴＡ側に制御し、モードＢが選択されたと判別した場合は、システムコントローラ８はスイッチ６６を端子ＴＢ側に制御する。
従ってモードＡの場合は、入力されたオーディオ信号は減衰器６１Ａを介してＰＧＡ６２に供給され、モードＢの場合は、入力されたオーディオ信号は減衰器６１Ｂを介してＰＧＡ６２に供給される。
ここで減衰器６１Ａ、６１Ｂは、減衰量が異なる設定とされている。
即ち減衰器６１Ｂを介したオーディオ信号が、減衰器６１Ａを介したオーディオ信号に比較して６〜８ｄＢ減衰された信号となるように、各減衰器６１Ａ，６１Ｂの減衰量（抵抗分割値）の設定が行われている。
【００７９】
なお、この例ではモードＡ、Ｂのそれぞれの場合の減衰器６１Ａ、６１Ｂを示しているが、減衰器６１Ａを設けず、モードＢの場合にのみ、入力されたオーディオ信号が減衰器６１Ｂを通る構成としてもよい。その場合、減衰器６１Ｂは、入力されたオーディオ信号に対して６〜８ｄＢ減衰させる設定とされる。
いずれにしても、モードＢの場合は、モードＡの場合に比べて、入力オーディオ信号の電圧レベルが約１／２とされることになる。
【００８０】
このようにモード切換される場合のＡＧＣ入出力を図８に示す。横軸はＲＰＧ６２に入力される時点でのライン入力レベル、縦軸にＰＧＡ６２の出力レベルを示している。また、Ｌ１はリミットレベル（ＡＧＣレベル）であり、またフルビットとは、Ａ／Ｄ変換器６３の変換上限（フルビット）レベルである。
上述したようにＡＧＣ制御部６５はリミットレベルＬ１を越える入力レベルを抑圧するＡＧＣ処理を行うため、出力レベルの上限がリミットレベルＬ１となる。
ここでモードＡの場合を破線で、又モードＢの場合を実線で示す。
上記のようにライン入力オーディオ信号のレベルは、モードＢの場合、モードＡに比べて６〜８ｄＢ減衰されたレベルとなる。これにより、モードＢの場合、図示するように入出力特性がモードＡの場合より図面上右側にシフトされるような特性となる。
そしてモードＢは、最大実効値が約２Ｖｒｍｓの据置型のオーディオ機器からの入力を想定したものであるが、実線の特性とされることで、入力オーディオ信号のダイナミックレンジから見て、ＡＧＣ動作が行われるレベル範囲ＸBの割合が、最大実効値が約１Ｖｒｍｓのポータブルオーディオ機器からの入力の場合のレベル範囲ＸAとほぼ同等となる。
【００８１】
つまり、最大実効値が約０．７７５〜１Ｖｒｍｓのポータブルオーディオ機器からの入力を想定したＡＧＣ処理が行われる場合において、据置型のオーディオ機器が接続された場合はライン入力モードをモードＢとすることで、最大実効値が約２Ｖｒｍｓのオーディオ信号に対しても、適切な範囲でＡＧＣ機能が働くことになる。
そしてまた、最大実効値が約２Ｖｒｍｓのオーディオ信号が入力される場合、Ａ／Ｄ変換器６３の最大入力レベルまでの余裕が、最大実効値が約０．７７５〜１Ｖｒｍｓのオーディオ信号入力の場合と同等とでき、従って音割れが発生しにくいものとなる。
このようにモードＡ、Ｂが切り換えられ、ライン入力オーディオ信号の実効値の差に応じたゲイン切換（減衰量の切換）が行われることで、据置型のオーディオ機器、ポータブルオーディオ機器のいずれがライン接続された場合でも、適切にオーディオ信号の録音を行うことができる。
【００８２】
ところで、ゲイン切換のためには、減衰器６１Ａ、６１Ｂを用いない構成も考えられる。図６に示すが、入力端子６０からのオーディオ信号は、そのままＰＧＡ６２に供給されるようにする。ここでシステムコントローラ８は操作子７ａの操作に応じて、ＰＧＡ６２のゲイン設定信号ＣGを供給し、ＰＧＡ６２のゲイン設定を切り換えるようにする。
即ち、モードＢの場合は、モードＡに比べてＰＧＡ６２のゲイン設定が１／２になるようにすればよい。
このような構成の場合でも、図８のように入出力特性を切り換えることができ、音割れが発生しにくい入力処理が実現される。
【００８３】
３．リミットレベル切換を行うライン入力系
次にＡＧＣ処理のリミットレベル切換を行う場合を説明する。
図７に構成例を示す。入力端子６０からの入力オーディオ信号は、ＰＧＡ６２、ＡＧＣ制御部６５でＡＧＣ処理され、Ａ／Ｄ変換器６３でデジタルデータに変換されてエンコーダ６４に供給される。
この場合、システムコントローラ８は操作子７ａの操作に応じて、ＡＧＣ制御部６５のリミットレベル設定信号ＣAGCを供給し、モードに応じてＡＧＣ制御部６５のリミットレベル設定を切り換えるようにする。
即ち、操作子７ａがモードＡに操作された場合は、図９のレベルＬ１をリミットレベルとし、モードＢに操作された場合はレベルＬ２をリミットレベルとするように制御する。レベルＬ２はレベルＬ１より６〜８ｄＢ低下されたレベルとされる。
【００８４】
するとモードＡの場合、ＡＧＣ処理による入出力特性は図９の破線のようになり、モードＢの場合、ＡＧＣ処理による入出力特性は実線のようになる。
最大実効値が約２Ｖｒｍｓのオーディオ信号が入力される場合には、モードＢとしてリミットレベルＬ２でＡＧＣ機能を働かせることで、信号レベルが２Ｖｒｍｓに至らない中レベルの入力に対しても、ＡＧＣ機能でゲインが下げられ、これによってクリップレベルまでのマージンが十分に確保される。そのため、２Ｖｒｍｓ付近の急峻な大入力があった場合でも歪みにくいものとすることができる。
【００８５】
４．アタックタイム切換を行うライン入力系
次にＡＧＣ処理のアタックタイム切換を行う場合を説明する。
構成例は図７と同様となるが、この場合、システムコントローラ８は操作子７ａの操作に応じて、ＡＧＣ制御部６５のアタックタイム設定信号ＣATを供給し、モードに応じてＡＧＣ制御部６５のアタックタイム設定を切り換えるようにする。
【００８６】
アタックタイムとは入力がリミットレベルを越えてからゲインを下げるまでの時間であるが、例えばモードＡの場合はアタックタイムは図１０に示すアタックタイムＡＴａとされ、一方モードＢの場合は、アタックタイムＡＴｂとされるように切り換えられる。
図１０では一点鎖線でしめすように、入力としてＡ／Ｄ変換器６３のフルビットを越えるようなレベルが発生した場合を示している。
なお、図示していないがＡＧＣ処理のリミットレベルは、フルビットレベルよりも多少低いレベルに設定されている。
一点鎖線で示す入力に対して、アタックタイムが長いモードＡの場合は、その分ＡＧＣ応答性が緩やかであるため、図中Ｚで示す部分の出力波形は破線で示すようになる。つまり応答性が緩やかであることで、入力波形の急峻なレベル上昇に対して、出力がフルビットレベルを越える場合が起こりやすい。
これに対してモードＢでアタックタイムＡＴｂとした場合は、リミットレベルを越えてからゲインを下げるまでのＡＧＣ応答性が迅速であるため、入力波形の急峻なレベル上昇に対しても出力が実線で示すようにフルビットレベル以内で抑えられる場合が多くなる。
【００８７】
つまり、アタックタイムを短くすることで大レベル入力の場合に歪みにくくなる。
このため、フルビットを越えるような大入力レベルとなりにくい場合、つまり最大実効値が約０．７７５〜１Ｖｒｍｓのオーディオ信号入力の場合は、モードＡとして通常のアタックタイムＡＴａとし、一方、大入力レベルとなりやすい、最大実効値が約２Ｖｒｍｓのオーディオ信号が入力される場合においてはモードＢでアタックタイムＡＴｂとすることで音割れのしにくい入力処理が可能となる。
【００８８】
５．複合的な切換を行うライン入力系
ここまで、減衰器６１Ｂ或いはＰＧＡ６２においてモードＢの場合に入力オーディオ信号のゲインを低下させる例、モードＢの場合にＡＧＣ処理のリミットレベルを低下させる例、及びモードＢの場合にＡＧＣ処理のアタックタイムを短くする例を示したが、これらを複合的に用いることも考えられる。
【００８９】
例えば図１１は、上記３つの手法を全て実行する場合の入出力特性を示している。
まず減衰器６１Ｂ或いはＰＧＡ６２のゲイン設定により、モードＢの場合は、入力オーディオ信号のゲインを６〜８ｄＢ未満、例えば３ｄＢ下げるようにする。
さらにＡＧＣ処理のリミットレベルをモードＡの場合はレベルＬ１，モードＢの場合はＬ２とする。レベルＬ２はレベルＬ１よりも例えば３ｄＢ低い値とする。
また、図１１にはあらわれないが、ＡＧＣ処理のアタックタイムを、モードＡの場合は図１０のＡＴａ、モードＢの場合はＡＴｂとする。
図１１に破線及び実線で示すモードＡ、Ｂの場合の特性からわかるように、モードＢ、即ち最大実効値が約２Ｖｒｍｓのオーディオ信号が入力される場合において、Ａ／Ｄ変換器６３のフルビットレベルまでのマージンを十分に確保でき、音割れの発生しにくい入力処理が実現される。
【００９０】
なお、複合的な手法としては、上記３つの手法の組み合わせの他、２つの手法の組み合わせでも良い。即ち、
モードＡ、Ｂに応じて、入力オーディオ信号のゲイン切換とＡＧＣ処理のリミットレベル切換を行う例、
モードＡ、Ｂに応じて、入力オーディオ信号のゲイン切換とＡＧＣ処理のアタックタイム切換を行う例、
モードＡ、Ｂに応じて、ＡＧＣ処理のリミットレベル切換とアタックタイム切換を行う例、
がそれぞれ考えられる。
【００９１】
６．変形例
以上、実施の形態を説明してきたが、本発明としては多様な変形例が考えられる。
まず図５〜図７の構成では、ＡＧＣ制御部６５は、ＰＧＡ６２に対するゲイン制御は、Ａ／Ｄ変換器６３の出力レベルを監視して行う構成としたが、ＰＧＡ６２の出力段階（アナログオーディオ信号段階）でレベル検出を行うＡＧＣ構成も考えられる。
【００９２】
また、上記例では、ＭＤに対応する記録再生装置を例に挙げて本発明の録音装置、入力信号処理装置、及び録音方法を説明したが、本発明は多様な機器において適用可能である。
例えばＭＤ以外のディスクメディアとして、ＣＤ（Compact Disc）方式、ＤＶＤ（Digital Versatile Disc）方式、ブルーレイディスク（Blu-Ray）方式のディスクが知られ、それらの方式のディスクに対してオーディオ信号を記録できるシステムも知られているが、それらのシステムとしての記録装置、或いは信号入力装置として本発明を適用できる。
また、ハードディスクを用いたオーディオ記録機器、磁気テープ等を用いた録音機器、さらには半導体メモリカード或いは内蔵の固体メモリを記録メディアとしてオーディオ信号の記録を行う記録機器などにも、本発明を適用できる。
また例えば磁気テープやディスク等を記録メディアとして録画を行う映像撮像機器（ビデオカメラ）におけるオーディオ入力系において本発明を採用することも好適である。
さらにはライン入力オーディオ信号にについて、記録（録音）を行わずに例えば送信出力する機器においても本発明は適用できる。
即ち、ライン入力オーディオ信号を入力する機器、或いはライン入力オーディオ信号を入力して記録メディアに録音する機器であれば、どのようなものでも本発明は適用できる。
【図面の簡単な説明】
【００９３】
【図１】本発明の実施の形態の記録再生装置のブロック図である。
【図２】実施の形態の記録再生装置が対応するディスクの説明図である。
【図３】実施の形態の記録再生装置が対応するディスクの説明図である。
【図４】実施の形態の記録再生装置のストレージ部のブロック図である。
【図５】ゲイン切換を行う実施の形態のライン入力系の構成のブロック図である。
【図６】ゲイン切換を行う実施の形態の他のライン入力系の構成のブロック図である。
【図７】リミットレベル切換又はアタックタイム切換を行う実施の形態のライン入力系の構成のブロック図である。
【図８】実施の形態のゲイン切換の説明図である。
【図９】実施の形態のリミットレベル切換の説明図である。
【図１０】実施の形態のアタックタイム切換の説明図である。
【図１１】実施の形態の複合的な切換の説明図である。
【符号の説明】
【００９４】
１  記録再生装置、２  ストレージ部、３  キャッシュメモリ、４  ＵＳＢインタフェース、５  入出力処理部、６  表示部、７  操作部、８  システムコントローラ、８ａ  ＲＯＭ、８ｂ  ＲＡＭ、９  キャッシュ管理メモリ、６１Ａ，６１Ｂ  アッテネータ、６２  プログラマブルゲインアンプ（ＰＧＡ）、６３  Ａ／Ｄ変換器、６４  エンコーダ、６５  ＡＧＣ制御部
【図１】
2005327336.tif 000003
【図２】
2005327336.tif 000004
【図３】
2005327336.tif 000005
【図４】
2005327336.tif 000006
【図５】
2005327336.tif 000007
【図６】
2005327336.tif 000008
【図７】
2005327336.tif 000009
【図８】
2005327336.tif 000010
【図９】
2005327336.tif 000011
【図１０】
2005327336.tif 000012
【図１１】
2005327336.tif 000013